(57)【要約】【課題】施工現場での作業を極力少なくして工期遅れを解消し、コストダウンも図ることができるリブラスパネル及びその施工方法を提供すること。【解決手段】隣接する側縁を連接して複数枚配置されたリブ付きラス２と、これらラスの上下端部に取り付けられた上桟３及び下桟４と、これら上桟及び下桟間となるラスの中間部に取り付けられた横端太５とを備えたことを特徴とするリブラスパネル１である。【選択図】      図３
2005030018.tif 000002
【特許請求の範囲】
【請求項１】
隣接する側縁を連接して複数枚配置されたリブ付きラスと、これらラスの上下端部に取り付けられた上桟及び下桟と、これら上桟及び下桟間となるラスの中間部に取り付けられた横端太とを備えたことを特徴とするリブラスパネル。
【請求項２】
上桟及び下桟がＬ形アングル材からなり、該アングル材の一片がラスの上端部側面及び下端部側面に接し、他片がラスの上端面及び下端面に接して取り付けられ、横端太がＬ形アングル材からなり、該アングル材の一片がラスの中間部側面に接し、他片がラスの中間部側面から張り出して取り付けられている請求項１記載のリブラスパネル。
【請求項３】
上桟及び下桟におけるアングル材の他片の相対向する位置に内曲げ用のＶカットが所定の角度で切欠されて形成され、横端太におけるアングル材の他片の前記Ｖカットと相対向する位置に外曲げ用のスリットが形成されている請求項２に記載のリブラスパネル。
【請求項４】
請求項１に記載のリブラスパネルを所要枚数、捨てコンクリートが打設された施工現場に運び込み、捨てコンクリート上に縦筋及び横筋により所定の形状に形成されて配置された配筋の両側に立設し、両リブラスパネルの横端太間にセパレータを差し渡して固定した後、前記配筋を含む両リブラスパネル間の空隙にコンクリートを打設して捨てコンクリート上に基礎梁を形成することを特徴とするリブラスパネルの施工方法。
【請求項５】
請求項１に記載のリブラスパネルと請求項３に記載のリブラスパネルをそれぞれ所要枚数、捨てコンクリートが打設された施工現場に運び込み、請求項１に記載のリブラスパネルを捨てコンクリート上に縦筋及び横筋により所定の形状に形成されて配置された配筋の両側に立設し、両リブラスパネルの横端太間にセパレータを差し渡して固定する一方、請求項３に記載のリブラスパネルをその上桟及び下桟におけるＶカットで内向きに折り曲げるとともに、スリットで外向きに折り曲げることにより所定の角度で折り曲げられた折曲リブラスパネルに加工し、該折曲リブラスパネルを請求項１に記載のリブラスパネルと連接した屈曲部形成位置に立設した後、前記配筋を含む両リブラスパネル間の空隙及び折曲リブラスパネル間の空隙にコンクリートを打設して捨てコンクリート上に屈曲部を有する基礎梁を形成することを特徴とするリブラスパネルの施工方法。
【発明の詳細な説明】
【０００１】
【発明の属する技術分野】
この発明は、建物の基礎梁を構築する際に用いられるリブラスパネル及びその施工方法に関するものである。
【０００２】
【従来の技術】
従来のリブラスパネルは、所定長さのリブ付きパネルが１枚ずつ、バラバラになった構成となっていた。そのため、使用に際しては該リブ付きパネルを所要枚数ぶん施工現場に運び込み、それから前記パネルの隣接する側縁を連接して複数枚並べ配置する必要があった。また、リブ付きパネル同士を連結したり、該パネルを連結後に支持するための手段を施さなければならなかったりして、現場作業が多いものであった。
【０００３】
したがって、施工現場における組みたて作業に時間がかかり、作業能率が悪いとともに、工期の遅れが生じるという問題があった。また、現場での作業が増えることによってコストアップになるという問題もあった。
【０００４】
【発明が解決しようとする課題】
そこでこの発明は、前記のような従来の問題点を解決し、施工現場での作業を極力少なくして工期遅れを解消し、コストダウンも図ることができるリブラスパネル及びその施工方法を提供することを目的とする。
【０００５】
【課題を解決するための手段】
前記目的を達成するため、請求項１に記載の発明は、隣接する側縁を連接して複数枚配置されたリブ付きラスと、これらラスの上下端部に取り付けられた上桟及び下桟と、これら上桟及び下桟間となるラスの中間部に取り付けられた横端太とを備えたことを特徴とするリブラスパネルである。
【０００６】
請求項２に記載の発明は、請求項１において、上桟及び下桟がＬ形アングル材からなり、該アングル材の一片がラスの上端部側面及び下端部側面に接し、他片がラスの上端面及び下端面に接して取り付けられ、横端太がＬ形アングル材からなり、該アングル材の一片がラスの中間部側面に接し、他片がラスの中間部側面から張り出して取り付けられていることを特徴とする。請求項３に記載の発明は、請求項２において、上桟及び下桟におけるアングル材の他片の相対向する位置に内曲げ用のＶカットが所定の角度で切欠されて形成され、横端太におけるアングル材の他片の前記Ｖカットと相対向する位置に外曲げ用のスリットが形成されていることを特徴とする。
【０００７】
請求項４に記載の発明は、請求項１に記載のリブラスパネルを所要枚数、捨てコンクリートが打設された施工現場に運び込み、捨てコンクリート上に縦筋及び横筋により所定の形状に形成されて配置された配筋の両側に立設し、両リブラスパネルの横端太間にセパレータを差し渡して固定した後、前記配筋を含む両リブラスパネル間の空隙にコンクリートを打設して捨てコンクリート上に基礎梁を形成することを特徴とするリブラスパネルの施工方法である。
【０００８】
請求項５に記載の発明は、請求項１に記載のリブラスパネルと請求項３に記載のリブラスパネルをそれぞれ所要枚数、捨てコンクリートが打設された施工現場に運び込み、請求項１に記載のリブラスパネルを捨てコンクリート上に縦筋及び横筋により所定の形状に形成されて配置された配筋の両側に立設し、両リブラスパネルの横端太間にセパレータを差し渡して固定する一方、請求項３に記載のリブラスパネルをその上桟及び下桟におけるＶカットで内向きに折り曲げるとともに、スリットで外向きに折り曲げることにより所定の角度で折り曲げられた折曲リブラスパネルに加工し、該折曲リブラスパネルを請求項１に記載のリブラスパネルと連接した屈曲部形成位置に立設した後、前記配筋を含む両リブラスパネル間の空隙及び折曲リブラスパネル間の空隙にコンクリートを打設して捨てコンクリート上に屈曲部を有する基礎梁を形成することを特徴とするリブラスパネルの施工方法である。
【０００９】
【発明の実施の形態】
この発明の一実施の形態を、添付図面を参照して説明する。図１はリブラスパネルの長さ方向の一部を省略した正面図、図２は同側面図、図３は施工に際し配筋の両側に立設した状態の側面図である。
【００１０】
１は所定の長さＬと高さＨからなる略長方形状のリブラスパネルで、それぞれ隣接する側縁を連接して複数枚配置されたリブ付きラス２と、これらラスの上下端部に取り付けられた上桟３及び下桟４と、これら上桟３及び下桟４間となるラス２の中間部に上下に間隔をおいて複数個取り付けられた横端太５とを備えて構成されている。ラス２は、縦向きリブ６を、その配置方向に小間隔をおいて複数個有している。
【００１１】
上桟３は、図２に示すようにＬ形アングル材からなり、該アングル材の一片がラス２の上端部側面に接し、他片がラス２の上端面に接して取り付けられている。下桟４も同様にＬ形アングル材からなり、該アングル材の一片がラス２の下端部側面に接し、他片がラス２の下端面に接して取り付けられている。横端太５もＬ形アングル材からなり、該アングル材の一片がラス２の中間部側面に接し、他片がラス２の中間部側面から上桟３及び下桟４の他片と反対向きとなる外向きに張り出して取り付けられている。
【００１２】
前記のリブラスパネル１の施工方法について、図３を参照して説明する。施工に際しては、リブラスパネル１を所要枚数、捨てコンクリート８が打設された施工現場に運び込む。この際、従来のように１枚ずつバラのラスを運び込んで連結するような作業が現場で一切必要なく、予め工場内でラス２に上桟３及び下桟４、横端太５を取り付けて一体化したリブラスパネル１を運び込むため、従来のような作業を大幅に省略することができる。リブラスパネル１の運び込みの前あるいは後に捨てコンクリート８上には予め縦筋１０ａ及び横筋１０ｂにより所定の形状の配筋１０を形成する。配筋１０は例えばスターラップ筋や上端主筋及び下端主筋、腹筋等により構成される。
【００１３】
そして運び込んだリブラスパネル１を配筋１０の両側に所定間隔をおいて立設し、底部の巾止め（図示せず）を施すとともに、両リブラスパネル１の横端太３間に中間部の巾止めとしてのセパレータ１１を長さ方向に間隔をおいて複数個ずつ差し渡す。セパレータ１１は基端部が予めＶ形に折り曲げられ、該折り曲げ部１２が一方のリブラスパネル１側の横端太３のアングル材の他片に係合する。差し渡した後、セパレータ１１の先端部を溶接により他方のリブラスパネル１側の横端太３のアングル材の他片に溶接固定する一方、該アングル材の他片に係合するようにＶ形に折り曲げる（図３の実線→破線）。しかる後さらに、上桟３のアングル材の他片の上に丸棒状の頭繋ぎ１３を間隔をおいて複数個配置して溶接固定する。
【００１４】
配筋１０と両リブラスパネル１を固定した後、前記配筋を含む両リブラスパネル間の空隙にコンクリート１５を打設する。これにより捨てコンクリート８上に基礎梁１６を形成するものである。基礎梁１６は、この実施の形態では頭繋ぎ１３の上部がコンクリート１５が打設されないで配筋１０の一部が現出した状態であるが、配筋１０の全てをコンクリート打設により埋設状態とすることも可能である。
【００１５】
図４は、リブラスパネルの異なる形態を示すものである。このリブラスパネル２１は、リブ付きラス２と、上桟３及び下桟４と、横端太５とを備えて構成されていること、さらに上桟３及び下桟４と、横端太５がＬ形アングル材から構成されていること、等は、図１のリブラスパネル１と同様である。異なるのは、上桟３及び下桟４におけるアングル材の他片の相対向する位置に内曲げ用のＶカット２３，２４が所定の角度（この例では９０°）で切欠されて形成され、横端太５におけるアングル材の他片の前記Ｖカットと相対向する位置に外曲げ用のスリット２５が形成されていることである（図５参照）。
【００１６】
前記のリブラスパネル２１の施工方法について、図４〜６を参照して説明する。施工に際しては、リブラスパネル１，２１をそれぞれ所要枚数、捨てコンクリート８が打設された施工現場に運び込み、リブラスパネル１を前記のようにして捨てコンクリート８上に縦筋１０ａ及び横筋１０ｂにより所定の形状に形成されて配置された配筋１０の両側に立設し、両リブラスパネル１の横端太５間にセパレータ１１を差し渡して溶接固定する。一方、リブラスパネル２１をその上桟３及び下桟４におけるＶカット２３，２４で内向きに折り曲げるとともに、スリット２５で外向きに折り曲げることにより所定の角度で折り曲げられた折曲リブラスパネルに加工する。図４で太縦破線部は折り曲げ部位を示す。前記のように折り曲げた折曲リブラスパネル２１をリブラスパネル１と連接した屈曲部形成位置（図６の例では十字状に交差した大柱部の角部）に立設し、両折曲リブラスパネル２１の横端太５間に同様にセパレータ（図示せず）を差し渡して溶接固定する。
【００１７】
前記のようにして配筋１０と両リブラスパネル１，２１を固定した後、前記配筋を含む両リブラスパネル１間の空隙及び折曲リブラスパネル２１間の空隙にコンクリート１５，２６を打設する。これにより捨てコンクリート８上に図６に示すような屈曲部を有する基礎梁２７を形成するものである。
【００１８】
この実施の形態では横端太５をリブラスパネル１，２１の中間部に３個配設したが、これは一例であって１個であってもよいし、２個又は４個以上としてもよい。またＶカット２３，２４の角度も一例であり、基礎梁２７の屈曲部の形状に応じて任意の角度としてもよい。
【００１９】
【発明の効果】
請求項１ないし３に記載の発明は前記のようであって、隣接する側縁を連接して複数枚配置されたリブ付きラスと、これらラスの上下端部に取り付けられた上桟及び下桟と、これら上桟及び下桟間となるラスの中間部に取り付けられた横端太とを備えたことを特徴とするリブラスパネルであるので、工場での製作を可能とし、施工現場での作業を従来のものに比べて極力少なくして工期遅れを大幅に解消することができるのに加え、コストダウンも図ることができるという優れた効果がある。
【００２０】
請求項４，５に記載の発明は前記のようなリブラスパネルを用いた現場での施工をスムーズに、かつ容易に行うことができて施工能率を高めることができる。しかも請求項５に記載の発明は屈曲部を有する基礎梁の形成に特に有効である、等の優れた効果が期待できる。
【図面の簡単な説明】
【図１】この発明の一実施の形態を示すリブラスパネルの長さ方向の一部を省略した正面図である。
【図２】同側面図である。
【図３】施工に際し配筋の両側に立設した状態の側面図である。
【図４】リブラスパネルの異なる形態を示す図面である。
【図５】同上のリブラスパネルのアングル材を示し、（Ａ）はＶカット、（Ｂ）はスリット、がそれぞれ形成された斜視図である。
【図６】同上のコンクリートを打設した状態の斜視図である。
【符号の説明】
１  リブラスパネル                  ２  リブ付きラス
３  上桟                            ４  下桟
５  横端太                          ６  縦向きリブ
８  捨てコンクリート              １０  配筋
１１  セパレータ                  １２  折り曲げ部
１３  頭繋ぎ                      １５  コンクリート
１６  基礎梁                      ２１  リブラスパネル
２３，２４  Ｖカット              ２５  スリット
２６  コンクリート                ２７  基礎梁
【図１】
2005030018.tif 000003
【図２】
2005030018.tif 000004
【図３】
2005030018.tif 000005
【図４】
2005030018.tif 000006
【図５】
2005030018.tif 000007
【図６】
2005030018.tif 000008